(57)【特許請求の範囲】
【請求項１】
被写体光を撮影レンズを介して撮像する撮像素子と、前記撮像素子から出力される撮像信号から生成された画像データに基づくスルー画像を表示部に表示するライブビュー機能と、位相差検出式のオートフォーカス動作を実行する第１オートフォーカス装置と、前記画像データのコントラスト値に基づくコンストラスト検出式のオートフォーカス動作を実行する第２オートフォーカス装置と、を備える撮像装置と、
前記撮像装置と電気的に接続可能であり、前記撮像装置にオートフォーカス動作を実行させる第１指示、および前記撮像装置に撮影動作を実行させる第２指示を、前記撮像装置から離間した場所から該撮像装置に対して出力するリモート装置と、を備えるカメラシステムであって、
前記撮像装置は、前記ライブビュー機能として、前記撮像装置を固定した状態で静止被写体を撮影するためのライブビューモードである固定撮影モードを含み、
前記固定撮影モードが設定されている場合で且つ前記スルー画像の表示が行われている第１状態の場合には、前記第１指示に応じた前記第１オートフォーカス装置の動作を禁止すると共に、該第１指示が所定時間継続して出力されていると判断した場合には前記第２オートフォーカス装置を動作し、前記第１状態の場合に前記第２指示が出力されると、前記第１及び第２オートフォーカス装置を動作することなく、前記撮像素子により前記被写体光の撮像を行うことを特徴とするカメラシステム。
【請求項２】
前記固定撮影モードが設定されている場合で且つ前記スルー画像の表示が行われていない第２状態の場合において、前記第１指示が所定時間継続して出力されると、前記第１オートフォーカス装置を動作することを特徴とする請求項１記載のカメラシステム。
【請求項３】
前記リモート装置は、半押し操作及び全押し操作が可能な押圧操作ボタンを有し、
前記第１指示は、前記押圧操作ボタンの半押し操作により行われ、前記第２指示は前記押圧操作ボタンの全押し操作により行われることを特徴とする請求項１または請求項２に記載のカメラシステム。
【発明の詳細な説明】
【技術分野】
【０００１】
本発明は、位相差検出式のオートフォーカス装置とコンストラスト検出式のオートフォーカス装置と有する撮像装置を備えるカメラシステムに関するものである。
【背景技術】
【０００２】
従来、位相差検出式のオートフォーカス動作を実行するオートフォーカス装置と、画像データのコントラスト値に基づくコンストラスト検出式のオートフォーカス動作を実行するオートフォーカス装置の両方を備えるデジタルカメラが例えば特許文献1等で公知である。このようなデジタルカメラにおいては、レリーズボタンが半押しされたときに、先ず位相差検出式のオートフォーカス装置を用いて合焦を行い、その後レリーズボタンが全押しされたときに、コントラスト検出式のオートフォーカス装置を用いて高精度に合焦を行なったり（特許文献１参照）、レリーズボタンが半押しされたときに、位相差検出式のオートフォーカス装置を用いて略合焦を行い、引き続きコントラスト検出式のオートフォーカス装置を用いて合焦を行なっている（特許文献２参照）。
【特許文献１】特開２００１−２８１５３０号公報
【特許文献２】特開２００５−２４２２７１号公報
【発明の開示】
【発明が解決しようとする課題】
【０００３】
ところで、被写体の撮像に際し液晶表示部にスルー画像を連続で表示させて、そのスルー画像を用いたフレーミングを可能としたり、あるいはスルー画像から画角や彩度といった画像全体の概要情報を入手するライブビュー機能を備えたデジタルカメラが存在する。また、カメラにケーブルを接続してカメラから離れた位置でレリーズ操作等を行なうことができるリモートレリーズ装置が知られている。このリモートレリーズ装置には、カメラ本体のレリーズボタン（半押し、全押しを行なえるもの）と同等の機能を備えた操作ボタンが設けられており、その操作によってカメラ本体側のレリーズ釦の操作による動作（ＡＦやレリーズ）と同じ動作をカメラに行なわせることができる。
【０００４】
ここでカメラを固定してライブビューを行ないながら静止被写体の撮影を行なう場合には、その静止被写体に対して一度、精密に合焦した後は、再度合焦し直すことなく連続で撮像可能であることが望まれるが、上述のデジタルカメラにおいては、カメラ本体側、リモートレリーズ側いずれのレリーズ操作であっても、そのレリーズ操作（撮像）の度に位相差検出式のオートフォーカス装置及びコントラスト検出式のオートフォーカス装置を用いて合焦を行なうため、撮像に時間がかかったり、撮像の度に合焦の状態が異なってしまう場合があった。また、デジタルカメラに設けられているレリーズボタンを操作して撮像を行なう場合には、レリーズボタンの操作、即ちカメラ本体を直接操作することにより精密に合わせた焦点位置にずれが生じる場合がある。
【０００５】
本発明の目的は、位相差検出式のオートフォーカス装置及びコントラスト検出式のオートフォーカス装置を有する撮像装置と、リモート装置とを備えるカメラシステムにおいて、リモート装置の操作に基づいて、撮像装置がそのおかれている状況に応じた最適な動作を行なうことができるカメラシステムを提供することである。
【課題を解決するための手段】
【０００６】
以下に本発明の構成を一実施形態の符号を付して説明するが、本発明は本実施形態の構成に限定されるものではない。
【０００７】
本発明のカメラシステムは、被写体光を撮影レンズ（１）を介して撮像する撮像素子（２）と、前記撮像素子から出力される撮像信号から生成された画像データに基づくスルー画像を表示部（９）に表示するライブビュー機能と、位相差検出式のオートフォーカス動作を実行する第１オートフォーカス装置（２３）と、前記画像データのコントラスト値に基づくコンストラスト検出式のオートフォーカス動作を実行する第２オートフォーカス装置（２４）とを備える撮像装置（１００）と、前記撮像装置と電気的に接続可能であり、前記撮像装置にオートフォーカス動作を実行させる第１指示、および前記撮像装置に撮影動作を実行させる第２指示を、前記撮像装置から離間した場所から該撮像装置に対して出力するリモート装置（２００）と、を備えるカメラシステムであって、前記撮像装置は、前記ライブビュー機能として、前記撮像装置を固定した状態で静止被写体を撮影するためのライブビューモードである固定撮影モードを含み、前記固定撮影モードが設定されている場合で且つ前記スルー画像の表示が行われている第１状態の場合には、前記第１指示に応じた前記第１オートフォーカス装置の動作を禁止すると共に、該第１指示が所定時間継続して出力されていると判断した場合には前記第２オートフォーカス装置を動作し、前記第１状態の場合に前記第２指示が出力されると、前記第１及び第２オートフォーカス装置を動作することなく、前記撮像素子により前記被写体光の撮像を行うことを特徴とする。
【発明の効果】
【０００８】
本発明のカメラシステムによれば、リモート装置の操作に基づいて、固定撮影モードにおいてライブビューを開始しているか否かによって位相差検出式のオートフォーカス装置及びコントラスト検出式のオートフォーカス装置を使い分けることができるため、固定撮影モードにおいて迅速に且つ精密に合焦を行なうことができ、また、一度精密に合焦を行なった後は、精密に合焦された状態で連続で被写体光の撮像を行なうことができる。
【発明を実施するための最良の形態】
【０００９】
以下、図面を参照して本発明の実施形態に係るカメラシステムについて説明する。図１は、実施形態に係るカメラシステムのブロック構成図である。図１に示すように、カメラシステムは、デジタルカメラ（撮像装置）１００とリモート装置２００とを備えている。
【００１０】
デジタルカメラ（撮像装置）１００には、撮影レンズ１を介した被写体光を撮像するＣＣＤまたはＣＭＯＳにより構成される撮像素子２が設けられている。撮像素子２からタイミングジェネレータ（ＴＧ）４からのタイミング信号に基づいて出力される撮像信号（蓄積電荷としてのアナログ信号）は、Ａ／Ｄ変換回路３に入力されてデジタル信号に変換される。デジタル信号に変換された画像データは一時的にイメージメモリ５に保存される。画像処理回路６は、イメージメモリ５に保存されている画像データに対して、ホワイトバランス（ＷＢ）調整、輪郭補償、ガンマ補正などの各種の画像処理を行う。画像処理回路６で画像処理された画像データは、圧縮回路７においてＪＰＥＧ等の方式で圧縮処理され、メモリ１０において一時的に保存され、その後メモリカード１１に記憶される。
【００１１】
また、画像処理回路６で画像処理された画像データは、表示回路８を介して、画像データに基づく画像や各種の設定メニューを表示するためのＴＦＴ等の液晶パネルから構成される画像表示装置９において表示される。ここで画像表示装置９においては、撮像素子２において所定のサンプリング間隔毎に撮像が行なわれ出力された撮像信号から生成された画像データに基づくスルー画像の表示（ライブビュー）も行なわれる。なお、上述の画像処理回路６、圧縮回路７及び表示回路８により画像処理ブロックが構成され、画像処理ブロックは、デジタルカメラ１００を統括的に制御するＣＰＵ（マイクロプロセッサ等）１２の制御の下、画像データに対する画像処理などを行なう。
【００１２】
ＣＰＵ１２には、カメラの状態や撮影条件等の情報を表示する液晶パネル等からなる表示装置１３、主電源をオン／オフするメインスイッチ、レリーズボタン、メニューボタン等が含まれる操作部材１４が接続されている。なお、レリーズボタンは、半押しにより自動焦点調節の実行を指示し、全押しにより撮影動作の実行を指示する。また、メニューボタンの操作などにより、デジタルカメラ１００を固定した状態で静止被写体を撮影するためのライブビューモードである固定撮影モードと、デジタルカメラ１００を撮影者が手に持ち被写体を撮影するためのライブビューモードである手持ち撮影モードの設定が行なわれる。
【００１３】
デジタルカメラ１００には、第１オートフォーカス装置と第２オートフォーカス装置の異なる方式の２つのオートフォーカス装置が設けられている。第１オートフォーカス装置は、ミラーダウン状態で被写体光を図示しないファインダ光学系に導くと共にミラーアップ状態で被写体光を撮像素子２に導くメインミラー２１を透過しメインミラー２１の裏面に配置されるサブミラー２２により反射された被写体光の一部をＡＦセンサ２３により検出して位相差検出式のオートフォーカス動作を実行する。また、第２オートフォーカス装置は、Ａ／Ｄ変換回路３から出力される画像データに基づいて、画像データのコントラスト値を検出してコンストラスト検出式のオートフォーカス動作を実行する。
【００１４】
また、デジタルカメラ１００には、コネクタ１５が設けられており、コネクタ１５を介して電気的にリモート装置２００が接続されている。リモート装置２００は、離間した場所からデジタルカメラ１００に対してオートフォーカス動作を実行させるための指示（第1指示）及び撮影動作を実行させるための指示（第２指示）を出力する。リモート装置２００は、半押し及び全押しが可能なレリーズボタン（押圧操作ボタン）（以下、リモートレリーズボタンという。）を有し、リモートレリーズボタンの半押しによりオートフォーカス動作の実行を指示（第１指示）し、リモートレリーズボタンの全押しにより撮影の実行を指示（第２指示）する。
【００１５】
次に、本実施形態に係るカメラシステムの動作に行いて説明する。なお、以下の説明においては、リモート装置２００により、オートフォーカス動作を実行させるための第1指示及び撮影動作を実行させるための第２指示を行なう場合について説明する。まず、メインスイッチにより主電源をオンした後に、メニューボタンの操作等により手持ち撮影モードを設定した場合には、ライブビュー表示（スルー画像の表示）開始前においては、リモート装置２００に設けられているリモートレリーズボタンを半押しすることにより（第１指示）、位相差検出式の第１オートフォーカス装置により自動焦点調節を行い、リモートレリーズボタンを全押しすることにより（第２指示）、ライブビュー表示が開始される。またライブビュー表示が開始された後においてはリモートレリーズボタンを半押しすることにより（第１指示）、位相差検出式の第１オートフォーカス装置により自動焦点調節を行い、リモートレリーズボタンを全押しすることにより（第２指示）被写体光の撮像が行なわれる。
【００１６】
また、メインスイッチにより主電源をオンした後に、メニューボタンの操作等により固定撮影モードを設定した場合には、ライブビュー表示開始前においては、リモートレリーズボタンを半押しすることにより（第１指示）、位相差検出式の第１オートフォーカス装置により自動焦点調節を行い、リモートレリーズボタンを全押しすることによりライブビュー表示（スルー画像の表示）が開始される。即ち、リモートレリーズボタンを全押しすることによりライブビュー表示が開始され、固定撮影モードにおいてライブビューが開始されていない第２状態から固定撮影モードにおいてライブビューが開始された第１状態に移行する。ここで第1状態においては、リモート装置２００からリモートレリーズボタンの半押しによる第１指示を受けた場合には、第１指示に応じた第１オートフォーカス装置の動作を禁止すると共に、第１指示に応じた第２オートフォーカス装置の動作を許容する。
【００１７】
図２のフローチャートに示すように、デジタルカメラ１００がリモート装置２００からの指示を受けた場合には（ステップＳ１０）、リモート装置２００からの指示がリモートレリーズボタンの半押しによる第１指示なのか、リモートレリーズボタンの全押による第２指示なのかの判断を行い（ステップＳ１１）、第１指示の場合には、第１指示が所定時間（例えば１秒間）継続しているか否かの判断を行なう（ステップＳ１２）。ここで第１指示が所定時間、継続しなかった場合には、ステップＳ１０に戻り、リモート装置２００から次の指示を待つ。
【００１８】
ステップＳ１２において、第１指示が所定時間、継続していると判断した場合には、現在、ライブビュー表示を開始している第１状態なのか、ライブビュー表示を開始する前の第２状態なのかの判断を行なう（ステップＳ１３）。現時点では、第１状態であるため、コントラスト検出式の第２オートフォーカス装置により自動焦点調節をおこなう（ステップＳ１４）。
【００１９】
また、リモート装置２００からの指示がリモートレリーズボタンの全押による第２指示の場合には（ステップＳ１０、Ｓ１１）、現時点では、第１状態であるため（ステップＳ１６）、位相差検出式の第１オートフォーカス装置及びコントラスト検出式の第２オートフォーカス装置により自動焦点調節を行うことなく、撮像素子２により被写体光の撮像を行なう（ステップＳ１７）。
【００２０】
また、メインスイッチにより主電源をオンした後に、メニューボタンの操作等により固定撮影モードを設定した場合であって、ライブビュー表示（スルー画像の表示）が開始される前に、リモート装置２００からの指示を受けた場合には（ステップＳ１０）、リモート装置２００からの指示がリモートレリーズボタンの半押しによる第１指示なのか、リモートレリーズボタンの全押による第２指示なのかの判断を行い（ステップＳ１１）、第１指示の場合には、第１オートフォーカス装置の動作を許容し、第１指示が所定時間（例えば１秒間）継続しているか否かの判断を行ない（ステップＳ１２）、第１指示が所定時間、継続しなかった場合には、ステップＳ１０に戻り、リモート装置２００から次の指示を待つ。
【００２１】
ステップＳ１２において、第１指示が所定時間、継続していると判断した場合には、現在、ライブビュー表示を開始する前の第２状態であるため、位相差検出式の第１オートフォーカス装置により自動焦点調節を行う（ステップＳ１５）。
【００２２】
また、リモート装置２００からの指示がリモートレリーズボタンの全押による第２指示の場合には（ステップＳ１０、Ｓ１１）、現時点では、第２状態であるため（ステップＳ１６）、ステップＳ１０に戻り、リモート装置２００から次の指示を待つ。
【００２３】
本実施の形態に係るカメラシステムによれば、位相差検出式のオートフォーカス装置及びコントラスト検出式のオートフォーカス装置を有する撮像装置を備えるカメラシステムにおいて、リモート装置の操作に基づいて、固定撮影モードにおいてライブビューを開始しているか否かによって位相差検出式のオートフォーカス装置及びコントラスト検出式のオートフォーカス装置を使い分けることができるため、固定撮影モードにおいて迅速に且つ精密に合焦を行なうことができ、また、一度精密に合焦を行なった後は、精密に合焦された状態で連続で被写体光の撮像を行なうことができる。
【００２４】
なお、リモート装置２００にリモートレリーズボタンだけでなく更にオートフォーカス動作の実行を指示する専用のＡＦボタンをリモートレリーズ釦とは別に設けるようにしても良い。この場合においては、このＡＦボタンの押下によりオートフォーカス動作の実行を指示する。固定撮影モードにおいて、ライブビュー表示を開始する前の第２状態において、ＡＦボタンの押下を行なった場合には、位相差検出式の第１オートフォーカス装置により自動焦点調節を行い、ライブビュー表示を開始した後の第１状態において、ＡＦボタンの押下を行なった場合には、コントラスト検出式の第２オートフォーカス装置により自動焦点調節を行なう。また、固定撮影モードにおいて、第２状態においてリモートレリーズボタンを全押しした場合にはライブビュー表示を開始し、第１状態において、リモートレリーズボタンを全押しした場合には、撮影を行なう。
【００２５】
また、リモート装置として、赤外線通信等を用いた通信装置を用い、通信装置からデジタルカメラに対してリモートレリーズボタンの半押し及び全押しにより第１指示及び第２指示を出力するようにしてもよい。
【図面の簡単な説明】
【００２６】
【図１】実施の形態に係るカメラシステムのブロック構成図である。
【図２】実施の形態に係るカメラシステムの動作を説明するためのフローチャートである。
【符号の説明】
【００２７】
１・・・撮影レンズ、２・・・撮像素子、３・・・Ａ／Ｄ変換回路、４・・・タイミングジェネレータ、５・・・イメージメモリ、６・・・画像処理回路、７・・・圧縮回路、８・・・表示回路、９・・・画像表示装置、１０・・・メモリ、１１・・・記憶媒体、１２・・・ＣＰＵ、１３・・・表示装置、１４・・・操作部材、１５・・・コネクタ、２１・・・メインミラー、２２・・・サブミラー、２３・・・ＡＦセンサ、２４・・・焦点検出部、１００・・・デジタルカメラ、２００・・・リモート装置。
【図１】
0005003339.tif 000002
【図２】
0005003339.tif 000003